(57)【要約】【課題】照明器具が不完全な取付状態のままで使用されることを確実に防ぐ。【解決手段】係止部材５，５が被係止部２１３と確実に係止している完全な取付状態においては係止位置にある嵌合部７４，７４とプラグ８の突部８４，８４が嵌合可能であるためにプラグ８をコネクタ部４に接続できる。一方、不完全な取付状態（一方の係止部材５のみが被係止部２１３と係止して他方の係止部材５が被係止部２１３と係止せずに最大突出位置にある状態）においては、係止部材５，５が最大突出位置にあるために片方の嵌合部７４が突部８４と嵌合せずにプラグ８とコネクタ部４の接続が阻止されるので、照明器具が不完全な取付状態のままで使用されることを確実に防ぐことができる。【選択図】図１
2008047360.tif 000002
【特許請求の範囲】
【請求項１】
絶縁材料により一面が開口した有底筒状に形成された器体と、器体の開口面を塞ぐカバーと、器体の外底面より突出して引掛シーリングボディと着脱可能に嵌合する一対の引掛刃と、これら一対の引掛刃と導通するとともにカバーに設けられた開口を通して外部に露出し照明器具に給電するためのプラグが抜き差し自在に接続されるコネクタ部と、器体周面に設けられた窓孔より進退自在に突出し器体周面から突出している状態で照明器具に設けられている被係止部と係脱自在に係止する複数の係止部材と、各係止部材を器体外へ進出させる向きに弾性付勢する付勢手段と、付勢手段の弾性力に抗して各係止部材を器体内に退避させる向きに移動させる移動手段とを備え、天井に配設されている引掛シーリングボディに照明器具を電気的且つ機械的に取り付けるための引掛シーリングアダプタであって、
移動手段は、付勢手段の弾性力に抗して手動操作されることで係止部材を移動させる移動部材を有し、該移動部材を器体に当接させることで窓孔から突出する係止部材の位置を規制してなり、
係止部材は、移動部材によって規制される最大突出位置から僅かに器体内へ退避した係止位置で被係止部と係止してなり、
プラグは、移動部材に向かって突出する突部を有し、
係止部材が係止位置にあるときにのみプラグの突部と嵌合し且つ突部と嵌合しない状態ではプラグとコネクタ部の接続を阻止する嵌合部が移動部材に設けられたことを特徴とする引掛シーリングアダプタ。
【請求項２】
請求項１の引掛シーリングアダプタと、引掛シーリングアダプタの係止部材が係脱自在に係止する被係止部が設けられた器具本体と、プラグを介して給電され且つランプが着脱自在に装着されるソケットとを備えたことを特徴とする照明器具。
【発明の詳細な説明】
【技術分野】
【０００１】
本発明は、天井に配設された引掛シーリングボディに照明器具を電気的且つ機械的に取り付けるための引掛シーリングアダプタ並びに照明器具に関するものである。
【背景技術】
【０００２】
従来より、天井に配設された引掛シーリングボディに照明器具を電気的且つ機械的に取り付けるための引掛シーリングアダプタが提供されている（例えば、特許文献１参照）。
【０００３】
特許文献１に記載されている従来の引掛シーリングアダプタは、図１０及び図１１に示すように絶縁材料（合成樹脂）により下面が開口した有底円筒状に形成された器体１００と、器体１００の開口面を塞ぐカバー１３０と、器体１００の外底面に設けられた凹所１１１内にねじ止めされて引掛シーリングボディ（図示せず）と着脱可能に嵌合する一対の引掛刃１０３，１０３と、これら一対の引掛刃１０３，１０３と導通するとともにカバー１３０の中央に設けられた開口１３３を通して外部に露出し照明器具の安定器に給電するためのプラグ（図示せず）が抜き差し自在に接続されるコネクタ部１０９と、器体１００周面に設けられた溝１１４より進退自在に突出し器体１００周面から突出している状態で照明器具に設けられている被係止部（図示せず）と係脱自在に係止する一対の係止部材１０７，１０７と、各係止部材１０７を器体１００外へ進出させる向きに弾性付勢する一対のコイルばね１２３，１２３と、コイルばね１２３，１２３の弾性力に抗して各係止部材１０７，１０７を器体１００内に退避させる向きに移動させる移動手段とを備えている。ここで、移動手段は係止部材１０７と一体に形成されてカバー１３０の操作孔１３２，１３２を通して突出する操作片１０８，１０８からなり、これら一対の操作片１０８，１０８を同時に外側に押し広げるように操作することで溝１１４，１１４から突出している係止部材１０７，１０７を器体１００内に退避させて照明器具を取り外すことができる。
【０００４】
コネクタ部１０９は、引掛刃１０３，１０３と一体に形成されて器体１００底面から器体１００内に挿入されている一対のコンタクト（図示せず）と、コンタクトを囲むように器体１００の底面から立設された筒状の嵌合体１０９ａと、筒状であって嵌合体１０９ａの側方に設けられプラグが具備するロック爪が挿入されたときに当該ロック爪を係止してプラグを抜け止めする抜け止め部１０９ｂとを具備している。ここで、プラグとコネクタ部１０９とは、係止部材１０７，１０７が被係止部に確実に係止して照明器具が固定された状態でないと接続できないようにするために、器体１００内に退避している状態でコネクタ部１０９が具備する抜け止め部１０９ｂの挿入孔を塞ぐ規制片１１０が係止部材１０７に設けられている。すなわち、係止部材１０７，１０７が器体１００から進出して照明器具の被係止部に確実に係止されている状態でなければ、プラグのロック爪が抜け止め部１０９ｂに挿入できないためにプラグがコネクタ部１０９と接続できないようになっている。
【特許文献１】特許第３５６３８９９号公報
【発明の開示】
【発明が解決しようとする課題】
【０００５】
しかしながら上記従来例においては、照明器具を水平に押し上げなかったために片側の係止部材１０７のみが被係止部に係止された不完全な取付状態となった場合、プラグをコネクタ部１０９に接続できてしまうことがあった。このように不完全な取付状態でプラグをコネクタ部１０９に接続して照明器具が使用された場合、大きな荷重や振動が加わったときに引掛シーリングアダプタから照明器具が脱落してしまう虞があった。
【０００６】
本発明は上記事情に鑑みて為されたものであり、その目的は、照明器具が不完全な取付状態のままで使用されることを確実に防ぐことができる引掛シーリングアダプタ並びに照明器具を提供することにある。
【課題を解決するための手段】
【０００７】
請求項１の発明は、上記目的を達成するために、絶縁材料により一面が開口した有底筒状に形成された器体と、器体の開口面を塞ぐカバーと、器体の外底面より突出して引掛シーリングボディと着脱可能に嵌合する一対の引掛刃と、これら一対の引掛刃と導通するとともにカバーに設けられた開口を通して外部に露出し照明器具に給電するためのプラグが抜き差し自在に接続されるコネクタ部と、器体周面に設けられた窓孔より進退自在に突出し器体周面から突出している状態で照明器具に設けられている被係止部と係脱自在に係止する複数の係止部材と、各係止部材を器体外へ進出させる向きに弾性付勢する付勢手段と、付勢手段の弾性力に抗して各係止部材を器体内に退避させる向きに移動させる移動手段とを備え、天井に配設されている引掛シーリングボディに照明器具を電気的且つ機械的に取り付けるための引掛シーリングアダプタであって、移動手段は、付勢手段の弾性力に抗して手動操作されることで係止部材を移動させる移動部材を有し、該移動部材を器体に当接させることで窓孔から突出する係止部材の位置を規制してなり、係止部材は、移動部材によって規制される最大突出位置から僅かに器体内へ退避した係止位置で被係止部と係止してなり、プラグは、移動部材に向かって突出する突部を有し、係止部材が係止位置にあるときにのみプラグの突部と嵌合し且つ突部と嵌合しない状態ではプラグとコネクタ部の接続を阻止する嵌合部が移動部材に設けられたことを特徴とする。
【０００８】
請求項２の発明は、上記目的を達成するために、請求項１の引掛シーリングアダプタと、引掛シーリングアダプタの係止部材が係脱自在に係止する被係止部が設けられた器具本体と、プラグを介して給電され且つランプが着脱自在に装着されるソケットとを備えたことを特徴とする。
【発明の効果】
【０００９】
請求項１，２の発明によれば、係止部材が被係止部と確実に係止している完全な取付状態においては係止位置にある係止部材の嵌合部と突部が嵌合可能であるためにプラグをコネクタ部に接続できるが、不完全な取付状態においては係止部材が係止位置以外の位置にあるために嵌合部が突部と嵌合せずにプラグとコネクタ部の接続を阻止するので、照明器具が不完全な取付状態のままで使用されることを確実に防ぐことができる。
【発明を実施するための最良の形態】
【００１０】
以下、図面を参照して本発明の実施形態を詳細に説明する。
【００１１】
本実施形態の引掛シーリングアダプタは、図２及び図３に示すように、絶縁性を有する合成樹脂材料により一面が開口した有底円筒状に形成された器体１と、器体１の開口面（図２における下面）を塞ぐカバー２と、器体１の外底面より突出して引掛シーリングボディ（図示せず）と着脱可能に嵌合する一対の引掛刃３，３と、これら一対の引掛刃３，３と導通するとともにカバー２の中央に設けられた開口部２０を通して外部に露出し照明器具（ランプが放電ランプの場合は安定器）に給電するためのプラグ８が抜き差し自在に接続されるコネクタ部４と、器体１周面に設けられた窓孔１２，１２より進退自在に突出し器体１周面から突出している状態で照明器具（実際は器具本体に取り付けられるホルダ２１０）に設けられている被係止部２１３と係脱自在に係止する一対の係止部材５，５と、各係止部材５を器体１外へ進出させる向きに弾性付勢する付勢手段と、付勢手段の弾性力に抗して各係止部材５，５を器体１内に退避させる向きに移動させる移動手段とを備えている。
【００１２】
器体１は、円板状の底板１０と、底板１０の周縁より立ち上がる円筒形の周壁１１とが一体に形成された合成樹脂成形品からなる。周壁１１において底板１０の中心を挟んで対向する部位には平面視略矩形の一対の窓孔１２，１２が開口し、当該部位のみ底板１０からの高さが高くなっている。また、周壁１１において底板１０の周方向に沿った窓孔１２，１２の両側面からは、互いに平行となるように内側に突出して係止部材５，５をガイドするガイド片１３，１３が各々設けられている（図３参照）。
【００１３】
また、底板１０の中央には角筒状の嵌合体４０が立設されており、この嵌合体４０の内側に一対のコンタクト（図示せず）が収納されてコネクタ部４を構成している。コンタクトは幅細の矩形板状であって、それぞれ矩形板状の固定片４２，４２を介して引掛刃３，３と一体に形成されている（以下、引掛刃３と固定片４２とコンタクトが一体に形成された部材を端子板と呼ぶ。）。固定片４２，４２にはねじ挿通孔４２ａが貫設され、タッピングねじからなる固定ねじ４３，４３によって固定片４２，４２が器体１の底板１０に固定される。底板１０には嵌合体４０を挟んで点対称の位置に一対の孔１０ａ，１０ａが設けられており、これらの孔１０ａ，１０ａを通して引掛刃３，３が底板１０の外側に突出する（図１参照）。そして、コンタクトは、嵌合体４０の側面に設けられている一対の縦溝４０ａ，４０ａを通して嵌合体４０の中に導入され、嵌合体４０の内部で底板１０と略垂直に立ち上がっている。
【００１４】
また、底板１０の周端部には、窓孔１２，１２の対向方向（図３における左右方向）と直交する方向（図３における上下方向）において嵌合体４０を挟んで対向するように一対のボス部１４，１４が立設されている。ボス部１４は、略円柱形状であって軸方向中央には縦穴１４ａが穿孔されている。つまり、カバー２に設けられているねじ挿通孔２１，２１にタッピングねじからなる取付ねじ１４ｂ，１４ｂを挿通しボス部１４，１４の縦穴１４ａ，１４ａに螺合することでカバー２と器体１が結合されるのである。
【００１５】
係止部材５は、窓孔１２を通り抜け可能な寸法に形成された本体部５０と、本体部５０における嵌合体４０との対向面より突出する突部５１とが一体に形成された合成樹脂成形品からなる。本体部５０は、窓孔１２と対向する面（先端面）が周壁１１の曲率半径と略等しい曲率半径を有する円弧状に形成されるとともに、カバー２側の部位（図２における下側半分の部位）が径方向に突出してなる係止爪５０ａを備えている。また本体部５０は、底板１０側の面（図３における下面）における周方向中央に、径方向に沿った幅細の溝（図示せず）が形成されている。一方、器体１の底板１０には溝に嵌合するガイドリブ１５，１５が嵌合体４０を挟んで対称な位置に突設されており、ガイドリブ１５が溝に嵌合した状態で係止部材５が溝の長手方向に沿って移動自在に器体１内に収納される。ここで、ガイドリブ１５は底板１０の中心に向かって底板１０から離れる向きに傾斜した略三角形状に形成されているので、周壁１１の外側から係止部材５を窓孔１２に挿入すると、突部５１が斜面に沿ってガイドリブ１５を乗り越えて溝にガイドリブ１５が嵌合することになる。ここで、後述するように移動部材７の被係合片７０が周壁１１の内周面に当接することにより、窓孔１２から器体１外へ進出する向きにおける係止部材５の移動が規制されるとともに（図３参照）、突部５１が嵌合体４０の縦溝４０ａ側の側面に当接することにより、窓孔１２から器体１内に退避する向きにおける係止部材５の移動が規制される。その結果、係止部材５は、係止爪５０ａが周壁１１より外側に突出し且つ移動部材７の被係合片７０が周壁１１の内周面に当接する位置（以下、「最大突出位置」と呼ぶ）と周壁１１より外側に突出しない位置との間で移動可能となっている。
【００１６】
付勢手段は、図３に示すように両端部が各々係止部材５，５のばね係止部５３，５３に係止されるとともに、器体１の一方のボス部１４に円筒形の中央部６０が外挿されるねじりばね６からなる。更に詳しく説明すると、係止部材５には、本体部５０と突部５１との間に凹部５２が形成されるとともに凹部５２の本体部５０側の側面から突起状のばね係止部５３が突設されている。すなわち、ねじりばね６のばね片６１，６１の先端部が凹部５２の底面との間でばね係止部５３に係止され、外側に開こうとするばね片６１，６１の弾性力によって係止部材５，５が窓孔１２，１２から進出する向きに弾性付勢されることになる。ここで、図３に示すように前記一方のボス部１４の根元に底板１０から立ち上がる一対の規制リブ１６，１６が突設されており、これら一対の規制リブ１６，１６によって中央部６０が器体１の底板１０側、つまり、ボス部１４への外挿向き（図３における下向き）にのみ位置規制される。
【００１７】
次に、ねじりばね６の弾性力に抗して係止部材５，５を退避向きに移動させる移動手段たる移動部材７，７について説明する。
【００１８】
移動部材７は合成樹脂成形品からなり、カバー２と対向する係止部材５の前面（図２における下面）に突設された係合突部５４に対して係止部材５の移動方向（図３における左右方向）で係合する被係合片７０と、カバー２を通して外部に突出する操作部７１と、被係合片７０と操作部７１を連結する連結片７２とが一体となって平面視略Ｃ字状に形成されている。被係合片７０は、操作部７１と対向する内側面に平面視略半円形の係合凹所７３が設けられている。操作部７１は、矩形平板状であって連結片７２に対してカバー２側（図１における下側）に立ち上がるように突出している。また、操作部７１には、係止部材５の突部５１前面（図２における下面）に突設されている突条部５１ａと嵌合する嵌合溝７１ａが設けられている。さらに、連結片７２において被係合片７０との連結部位近傍には、平面視略コ字状の嵌合部７４が内向き（嵌合体４０に近付く向き）に突設されている（図１参照）。
【００１９】
一方、係止部材５の本体部５０においては、カバー２側の面に被係合片７０の外形と略同形状の嵌合凹所５０ｃが形成されるとともに、被係合片７０の係合凹所７３と係合する係合突部５４が嵌合凹所５０ｃの底面端部に突設されている。
【００２０】
而して、移動部材７は、図１に示すように一方の係止部材５における本体部５０の係合凹所５０ｃに被係合片７０を嵌めることで係合凹所７３を本体部５０の係合突部５４に係合させるとともに、他方の係止部材５における突部５１の突条部５１ａに操作部７１の嵌合溝７１ａを嵌合させるようにして器体１内に収納される。ここで、２つの移動部材７，７は互いに同一形状、同一寸法であるが、各々の連結片７２，７２が、嵌合体４０と２つのボス部１４，１４との間の空間に振り分けて配置されることで互いに干渉することはない。操作部７１，７１は、開口部２０の両側に開口部２０と連通するようにカバー２に貫設されている一対の操作孔２２，２２を通して器体１の外に露出している（図４参照）。したがって、操作部７１，７１を手で外側に押し操作すれば、移動部材７，７が器体１の底板１０に沿って平行移動し、被係合片７０，７０に係合している係止部材５，５をねじりばね６の弾性力に抗して退避向きに移動させることができる。また、嵌合部７４，７４は、図６（ａ）に示すように嵌合体４０に対して対称に配置される。
【００２１】
プラグ８は、照明器具の安定器（図示せず）と接続されている２心の給電線２００の先端に取り付けられており、絶縁性を有する合成樹脂成形品からなるプラグ本体８０と、プラグ本体８０内に収納されてコネクタ部４のコンタクトとそれぞれ接触導通する一対のコンタクト受け（図示せず）と、コネクタ部４と接続されている状態で各係止部材５，５の突部５１，５１と対向するプラグ本体８０の側面に突設された一対のストッパ部８２，８２とを具備している（図１参照）。プラグ本体８０は、嵌合体４０内に挿入可能な寸法であり且つ扁平な矩形箱状に形成され、隔壁８０ｂによって内部が二分されている。そして、二分された一対の収納室８０ａ，８０ａ内に金属板を筒状に曲げ加工してなるコンタクト受け（図示せず）がそれぞれ収納される。コンタクト受けは、一端側に給電線２００の導体が各々接合され、他端側にコンタクトが挿抜自在に差し込まれて導通する。ストッパ部８２，８２は、嵌合体４０の縦溝４０ａ，４０ａよりも幅細の矩形板状であって、コネクタ部４に接続された状態で係止部材５，５の突部５１，５１と対向するプラグ本体８０の両側面に突設されている。ここで、ストッパ部８２，８２の先端寄りの部位には連結片７２，７２に設けられている嵌合部７４，７４と嵌合する角柱状の突部８４，８４が突設されている。また、プラグ本体８０においてストッパ部８２，８２が突設されていない側面にはロック部８３が設けられている。このロック部８３は、図１に示すように各々一端側でプラグ本体８０に連結されている一対の支持片８３ａ，８３ａと、これら一対の支持片８３ａ，８３ａの他端側に揺動自在に支持された棒状のロック片８３ｂと、ロック片８３ｂの先端からプラグ本体８０側へ突出するロック爪８３ｃとがプラグ本体８０に一体に形成されてなる。一方、コネクタ部４の嵌合体４０においては、係止部材５，５と対向しない側面に各々プラグ８のロック爪８３ｃが択一的に係合する被係合部４０ｂ，４０ｂが突設されている。また、カバー２においては、プラグ８のロック部８３並びに突部８４を逃げるための逃げ孔２３，２３が開口部２０に連通する形で開口部２０を挟む位置に貫設されている。尚、ロック爪８３ｃ並びに被係合部４０ｂ，４０ｂには、先端から後端側に向かって徐々に突出量が増えるような傾斜面が形成されている。
【００２２】
而して、プラグ本体８０を嵌合体４０内に正規の位置まで挿入すれば、コネクタ部４のコンタクトがプラグ８のコンタクト受けに各々接触導通してコネクタ部４とプラグ８が接続され、しかも、プラグ本体８０を嵌合体４０内に挿入する過程において、ロック爪８３ｃが被係合部４０ｂに当接するとともに互いの傾斜面に案内されてロック片８３ｂが撓み、やがてロック爪８３ｃが被係合部４０ｂを乗り越えてロック爪８３ｃと被係合部４０ｂが係合してロックされ、コネクタ部４に対してプラグ８が抜け止めされる。そして、ロック片８３ｂの後端部を指で押してロック片８３ｂを揺動すれば、ロック爪８３ｃと被係合部４０ｂとの係合が外れてロック解除されるから、プラグ本体８０を嵌合体４０から引き抜くことができる。ここで、コネクタ部４に接続されたプラグ８のストッパ部８２，８２が係止部材５，５の突起部５１，５１とそれぞれ僅かな隙間を空けて対向しており、コネクタ部４にプラグ８を接続した状態においては、突起部５１，５１がストッパ部８２，８２に干渉することで係止部材５，５の退避向きへの移動が規制される。尚、本実施形態ではプラグ本体８０が回転対称な形状に形成されるとともにコネクタ部４の嵌合体４０の両側面に被係合部４０ｂ，４０ｂが設けられているため、コネクタ部４に対するプラグ８の接続向きが限定されないことで使い勝手が向上するという利点がある。
【００２３】
ところで、本実施形態の引掛シーリングアダプタは、従来例と同様に引掛シーリングボディに対するロック機構を備えている。このロック機構は、底板１０を貫通する挿通孔（図示せず）から進退自在に突出するロック爪９０ａを先端に有する可動体９０と、ロック爪９０ａが突出する向きに可動体９０を弾性付勢するコイルばね９１と、コイルばね９１の弾性力に抗してロック爪９０ａが挿通孔内に退避する向きに可動体９０を移動させるロック解除釦９２とで構成される。ロック解除釦９２の操作部９２ａが器体１の周壁１１に設けられた切り欠き溝１１ａを通して露出しており、操作部９２ａを周壁１１内へ押し込むように操作することで可動体９０が移動し、ロック爪９０ａが挿通孔内に退避して引掛シーリングボディとのロック状態が解除される。尚、かかるロック機構については、従来周知であるから詳細な説明は省略する。
【００２４】
上述のように構成される本実施形態の引掛シーリングアダプタは、次のような手順で組み立てられる。
【００２５】
最初に固定ねじ４３，４３によって一対の端子板を器体１の底板１０にねじ止めした後、周壁１１の窓孔１２，１２を通して係止部材５，５を器体１内に挿入して本体部５０，５０の溝５０ｂに各々底板１０のガイドリブ１５，１５を嵌合させる。続いて、中央部６０をボス部１４に外挿した後にばね片６１，６１の先端部を係止部材５，５のばね係止部５３，５３に係止してねじりばね６を器体１内に収納する。さらに、一方の係止部材５における本体部５０の係合凹所５０ｃに被係合片７０を嵌めることで係合凹所７３を本体部５０の係合突部５４に係合させるとともに、他方の係止部材５における突部５１の突条部５１ａに操作部７１の嵌合溝７１ａを嵌合させるようにして、移動部材７，７を器体１内に収納する。そして、可動体９０とコイルばね９１とロック解除釦９２からなるロック機構を器体１内に収納した後、カバー２のねじ挿通孔２１，２１に挿通した取付ねじ１４ｂ，１４ｂを器体１のボス部１４，１４の縦穴１４ａ，１４ａに螺合することでカバー２を器体１に結合すれば、本実施形態の引掛シーリングアダプタが完成する。
【００２６】
上述のように本実施形態では、一方向から全ての部品を器体１に組み付けることができるので、引掛刃を器体の外底面にねじ止めしていた従来例に比較して組立性が向上するという利点がある。しかも、一対の係止部材５，５並びに移動部材７，７が各々同一部品でよいから、部品の品種削減によるコストダウンと組立性向上が図れる。
【００２７】
本実施形態の引掛シーリングアダプタを備えた照明器具は、図７〜９に示すように器具本体（図示せず）にホルダ２１０が取り付けられている。このホルダ２１０は、平面視長円形状の合成樹脂成形品からなり、中央に開口する円形の取付孔２１１に引掛シーリングアダプタが取り付けられる。ホルダ２１０の上面における取付孔２１１の周縁には円環状のリブ２１２が突設されている。リブ２１２の内径は器体１の外形よりも僅かに大きい寸法であって、リブ２１２の先端部には、図８（ｃ）における下方に向かって内側へ傾斜する傾斜面２１２ａが形成されている。また、ホルダ２１０の下面における取付孔２１１の周縁には、係止部材５，５の係止爪５０ａ，５０ａが係止する円環状の被係止部２１３が設けられている。
【００２８】
而して、引掛シーリングアダプタを天井の引掛シーリングボディに取り付けた後、ホルダ２１０の取付孔２１１に引掛シーリングアダプタの器体１を挿入するように器具本体を押し上げれば、リブ２１２先端部の傾斜面に係止爪５０ａ，５０ａが当接して係止部材５，５が退避向きに移動し、やがてリブ２１２を乗り越えた係止爪５０ａ，５０ａが被係止部２１３に係止して引掛シーリングアダプタに器具本体が固定される。その後、引掛シーリングアダプタのコネクタ部４にプラグ８を接続すれば、引掛シーリングアダプタに対する照明器具の機械的及び電気的な取付が完了する。このとき、コネクタ部４に接続されたプラグ８のプラグ本体８０及びストッパ部８２，８２と、一対の係止部材５，５とが一直線上に並ぶことになり、ストッパ部８２，８２に規制されることで係止部材５，５が退避向きに移動できなくなっている（図１参照）。また、器具本体を水平に押し上げなかったために片側の係止部材５の係止爪５０ａのみがホルダ２１０の被係止部２１３に係止された不完全な取付状態においては、図８（ａ）に示すように被係止部２１３に係止されていない方の係止部材５の突部５１にストッパ部８２が干渉してプラグ８をコネクタ部４に接続できないから、安定器に給電されずに点灯しないことで照明器具が正しく取り付けられていないことを使用者が容易に認識できる。
【００２９】
ここで、被係止部２１３の内径は、係止部材５，５が最大突出位置にあるときの係止爪５０ａ，５０ａの先端間の距離よりも小さい寸法となっている。そのため、引掛シーリングアダプタに器具本体が固定された状態では係止爪５０ａ，５０ａが被係止部２１３に弾接しており、係止部材５，５は、移動部材７，７によって規制される最大突出位置から僅かに器体１内へ退避した位置（以下、「係止位置」と呼ぶ）で被係止部２１３と係止することになる。そして本実施形態においては、係止部材５，５が係止位置にあるときにのみプラグ８の突部８４，８４と嵌合するように嵌合部７４，７４が設けられている（図６，７参照）。すなわち、係止部材５，５が最大突出位置にあるとき（引掛シーリングアダプタに器具本体が取り付けられていないとき）には、図５に示すように嵌合部７４，７４の一端側の端面に突部８４，８４が当接して嵌合不能であり、あるいは、係止部材５，５が係止位置よりもさらに器体１内へ退避しているとき（引掛シーリングアダプタに器具本体を取り付ける途中）には、図８に示すように嵌合部７４，７４の他端側の端面に突部８４，８４が当接して嵌合不能となる。
【００３０】
従って、図６，７に示すように係止部材５，５が被係止部２１３と確実に係止している完全な取付状態においては係止位置にある嵌合部７４，７４とプラグ８の突部８４，８４が嵌合可能であるためにプラグ８をコネクタ部４に接続できるが、図９に示すような不完全な取付状態（一方の係止部材５のみが被係止部２１３と係止して他方の係止部材５が被係止部２１３と係止せずに最大突出位置にある状態）においては、係止部材５，５が最大突出位置にあるために片方の嵌合部７４が突部８４と嵌合せずにプラグ８とコネクタ部４の接続が阻止されるので、照明器具が不完全な取付状態のままで使用されることを確実に防ぐことができる。
【００３１】
なお、本発明に係る照明器具は、上述の引掛シーリングアダプタと、ホルダを具備した器具本体と、器具本体に設けられてプラグ８を介して給電される安定器と、器具本体に設けられ且つランプが着脱自在に装着されるとともに安定器から給電される電力をランプに供給するソケットとを備えている。但し、引掛シーリングアダプタ以外の構成は従来周知であるから、図示並びに詳細な説明は省略する。
【図面の簡単な説明】
【００３２】
【図１】本発明に係る引掛シーリングアダプタの実施形態を示し、一部省略した斜視図である。
【図２】同上の分解斜視図である。
【図３】同上のカバーと移動部材を取り除いた状態の斜視図である。
【図４】同上の斜視図である。
【図５】同上の係止部材が最大突出位置にある状態を示し、（ａ）はカバーを取り除いた状態の斜視図、（ｂ）は断面図である。
【図６】同上の係止部材が係止位置にある状態を示し、（ａ）はカバーを取り除いた状態の平面図、（ｂ）はホルダに取り付けられた状態の断面図である。
【図７】同上をホルダに取り付けた状態を示し、カバー取り除いた状態の斜視図である。
【図８】同上のホルダに取り付ける途中の状態を示し、（ａ）はカバーを取り除いた状態の断面斜視図、（ｂ）はカバーを取り除いた状態の断面図である。
【図９】同上の不完全な取付状態を示し、（ａ）はカバーを取り除いた状態の斜視図、（ｂ）は断面図である。
【図１０】従来の引掛シーリングアダプタを示す分解斜視図である。
【図１１】同上を示し、（ａ）は上方から見た斜視図、（ｂ）は下方から見た斜視図である。
【符号の説明】
【００３３】
１  器体
５  係止部材
４  コネクタ部
７  移動部材
８  プラグ
７４  嵌合部
８４  突部
【図１】
2008047360.tif 000003
【図２】
2008047360.tif 000004
【図３】
2008047360.tif 000005
【図４】
2008047360.tif 000006
【図５】
2008047360.tif 000007
【図６】
2008047360.tif 000008
【図７】
2008047360.tif 000009
【図８】
2008047360.tif 000010
【図９】
2008047360.tif 000011
【図１０】
2008047360.tif 000012
【図１１】
2008047360.tif 000013